(57)【要約】      （修正有）【課題】口元部に口を付けた際に、口元部が口にフィットしやすく、内容物をこぼしにくい樹脂製コップを提供する。【解決手段】樹脂製コップにおいて、口元部の少なくとも一部がシリコーンゴムよりなるシリコーンゴム部材１２によって覆われており、シリコーンゴム部材１２は、断面がほぼ逆Ｕ字形を有し、コップ口元部の全周にわたって形成された薄い突状１１ａの外周面と内周面と上端面の全体を覆うようにコップ本体に取り付けられ、コップの口元部と一体化されている。【選択図】図３
0003183901.tif 000002
【実用新案登録請求の範囲】
【請求項１】
樹脂製コップにおいて、
口元部の少なくとも一部がシリコーンゴムよりなるシリコーンゴム部材によって覆われており、
前記シリコーンゴム部材が、前記コップの前記口元部と一体化されていることを特徴とする、樹脂製コップ。
【請求項２】
前記口元部には、前記コップの周壁部より薄い突条が全周にわたって前記周壁部と一体的に設けられており、
前記シリコーンゴム部材は、前記突条をはさみこんで、前記突条の全体を覆うように形成されており、
前記シリコーンゴム部材の内周面と、前記コップの前記周壁部の内周面とが同一面を構成し、かつ、前記シリコーンゴム部材の外周面と、前記コップの前記周壁部の外周面とが同一面を構成することを特徴とする、請求項１に記載の樹脂製コップ。
【請求項３】
前記突条の厚みが、前記コップの底部側から上端面に向けて増加することを特徴とする、請求項２に記載の樹脂製コップ。
【請求項４】
前記突条の周壁部に少なくとも１つの開口を設け、前記シリコーンゴム部材の成型時に前記開口を通じて、前記シリコーンゴム部材が架橋されていることを特徴とする、請求項２に記載の樹脂製コップ。
【請求項５】
前記突条の表面に凹凸を設けることを特徴とする、請求項２に記載の樹脂製コップ。
【考案の詳細な説明】
【技術分野】
【０００１】
本考案は、樹脂製コップに関し、より特定的には、口元部に口を付けて内容物を飲み込む際、内容物が口からこぼれにくい樹脂製コップに関する。
【背景技術】
【０００２】
従来から、ポリスチレンなどの樹脂の成型品よりなるコップが広く使用されている。
【考案の概要】
【考案が解決しようとする課題】
【０００３】
しかしながら、樹脂の成型品よりなるコップは、口を付けたときに、口にフィットしにくく、特にお年寄りや子供にとっては、内容物を飲みにくかったり、こぼしやすかったりするという問題があった。
【０００４】
上記の問題を鑑みて、本考案は、口元部に口を付けた際に、口元部が口にフィットしやすく、内容物をこぼしにくい樹脂製コップを提供することを目的とする。
【課題を解決するための手段】
【０００５】
樹脂製コップにおいて、口元部の少なくとも一部がシリコーンゴムよりなるシリコーンゴム部材によって覆われており、シリコーンゴム部材が、コップの口元部と一体化されている。
【考案の効果】
【０００６】
本考案によれば、口元部に口を付けて内容物を口に入れる際に、口元部の形状が口の形状に合いやすく、内容物をこぼしにくい樹脂製コップを提供することができる。
【図面の簡単な説明】
【０００７】
【図１】本考案の実施形態に係るコップの正面図
【図２】本考案の実施形態に係るコップの上面図
【図３】図２に示すＡ−Ａ’線に沿う概略断面図
【考案を実施するための形態】
【０００８】
以下、図１〜図３を参照して本考案の実施形態に係るコップについて説明する。図１は、本考案の実施形態に係るコップ１の正面図である。また、図２は、コップ１の上面図である。また、図３は、図２に示すＡ−Ａ’線に沿う概略断面図である。
【０００９】
コップ１は、底部１５および底部１５から立ち上がる周壁部１６を有するコップ本体１１と、コップ１の口元部１４に設けられた、シリコーンゴムよりなるシリコーンゴム部材１２と、把手１３とを備える。また、口元部１４には、コップ１の周壁部１６より薄い突条１１ａが、口元部１４の全周にわたって、周壁部１６と一体的に形成されている。図２に示すように、突条１１ａの外周面は周壁部１６の外周面よりもコップ１の内側に位置し、突条１１ａの内周面は周壁部１６の内周面よりもコップ１の外側に位置している。
【００１０】
コップ本体１１の材料としては、ポリスチレン、ＡＢＳ、ナイロン６６などの樹脂を用いることができる。特に、ナイロン６６を好適に用いることができる。
【００１１】
シリコーンゴム部材１２は、シリコーンゴムにより形成され、断面がほぼ逆Ｕ字形を有する部材であり、突条１１ａの外周面と内周面と上端面との全体を覆うように、コップ本体１１に取り付けられ、コップ本体１１と一体化されている。ここで、コップ本体１１とシリコーンゴム部材１２との一体化は、シリコーンゴム部材１２を、接着剤を用いずにコップ本体１１に接続することをいう。また、シリコーンゴム部材１２の内周面とコップ本体１１の周壁部１６の内周面と同一面を構成し、かつ、シリコーンゴム部材１２の外周面とコップ本体１１の周壁部１６の外周面と同一面を構成するように、シリコーンゴム部材１２は設けられる。ここで、同一面を構成するとは、シリコーンゴム部材１２の外面とコップ本体１１の周壁部１６の外面とが、段差なく、連続する面として接続されていることをいう。
【００１２】
シリコーン部材１２とコップ本体１１とを一体化するためには、まず、コップ本体１１をインジェクション成形によって成形し、金型を用いて、シリコーンゴムをコップ本体１１の口元部１４上に二次成形することにより、シリコーン部材１２を成形するとよい。
【００１３】
シリコーンゴム部材１２の硬さは、材料であるシリコーンゴムに、シリカ系紛体充填剤の添加量などを調整することにより、口当たりの良さを考慮して適宜設定することができる。また、シリコーンゴム部材１２の高さと幅とについても、口当たりの良さを考慮して適宜設定することができる。
【００１４】
また、シリコーンゴム部材１２は透明であってもよいし、着色により不透明であってもよい。
【００１５】
なお、本実施形態では、コップ１には、把手１３が設けられているが、本考案の必須の構成ではない。
【００１６】
本実施形態では、一例として、コップ１の高さＨ１を８２ｍｍ、底部１５の外径Ｌ１を６７ｍｍ、シリコーンゴム部材１２の最大外径Ｌ２を７８ｍｍシリコーンゴム部材１２の高さＨ２を９．８ｍｍ、突条１１ａの高さＨ３を５．２ｍｍ、シリコーンゴム部材１２の幅Ｗを３ｍｍとした。ただし、これらの具体的な数値は、本考案の一例を示したものに過ぎず、本考案を何ら限定するものではない。
【００１７】
シリコーンゴム部材１２は、柔らかく弾性がある素材であるため、シリコーンゴム部材１２を上記のようにコップ１の口元部１４に設けることにより、口元部１４に口を付けてコップ１の内容物を口に入れる際、コップ１の口元部１４が口にフィットしやすくなる。従って、特にお年寄りや子供が使用した際においても、使用時に内容物がこぼれることを抑制することができる。また、シリコーンゴム部材１２を直接口が触れる部分に設けることによって、コップ１への口当たりの良さも実現できる。更に、シリコーンゴムは耐熱性、低温性に優れ、家庭での使用温度では不可逆的に変形しにくい素材であるため、コップ１に冷たい内容物を入れたりしても、シリコーンゴム部材１２が変形したり、柔らかさを損なうことなく使用することができる。
【００１８】
また、本実施形態のように、樹脂製のコップ本体１１の口元部１４に部分的にシリコーンゴム部材１２を設けた構成では、単にシリコーンゴムのみで成形したコップと比べて、形状の安定性に優れるため、コップ１に内容物を入れた状態でテーブル等に安定して載置することができる。更に、樹脂製のコップ本体１１の全体をシリコーンゴムで覆う構成も考えられるが、本実施形態の構成であれば、シリコーンゴムの使用量を少なくすることができ、材料コスト及び製造コストの面でメリットがある。
【００１９】
なお、上記の実施形態では、シリコーンゴム部材１２をコップ１の口元部全周に設けているが、シリコーンゴム部材１２はコップ１の口元部１４の全周に設けられていなくてもよい。例えば、コップ１の口元部１４のうち、使用者が口を付ける一部にシリコーンゴム部材１２を設けてもよい。この場合、コップ本体１１の口元部１４のうち、シリコーンゴム部材１２を設ける箇所に切り欠きを設け、この切り欠きと相補的な形状のシリコーンゴム部材１２を取り付ければよい。
【００２０】
また、上記の実施形態では、突条１１ａの厚みが一定であるが、突条１１ａの厚みは一定でなくてもよく、例えば、底部１５側から上端面に向けて厚みが増すようにしてもよい。
【００２１】
また、突条１１ａの周壁部に少なくとも１つの開口を設け、シリコーンゴム部材１２の成形時に突条１１ａに設けた開口を通じてシリコーンゴム部材１２が架橋されるようにしてもよい。
【００２２】
また、突条１１ａの表面に凹凸を設けてもよい。
【００２３】
また、上記の実施形態では、横断面がほぼ円形のコップ１を説明したが、コップ１の横断面形状は特に限定されず、楕円状や略三角形状あるいは略矩形状等であってもよい。
【００２４】
また、上記の実施形態では、コップについて説明したが、コップ以外の樹脂製食器の口元部の少なくとも一部にシリコーンゴムを設けてもよい。例えば、シリコーンゴムが、口元部に設けられている丼鉢でもよい。
【産業上の利用可能性】
【００２５】
本考案は、口元部に口を付けて内容物を口の中に入れる際に、口元部の形状が口の形状に合いやすく、内容物をこぼれにくくすることができる樹脂製コップなどに利用することができる。
【符号の説明】
【００２６】
１    コップ
１１    コップ本体
１１ａ    突条
１２    シリコーンゴム部材
１３    把手
１４    口元部
１５    底部
１６    周壁部
【図１】
0003183901.tif 000003
【図２】
0003183901.tif 000004
【図３】
0003183901.tif 000005